(57)【特許請求の範囲】
【請求項１】
開口部に並置された多数のスラットを昇降装置により昇降させて開口部を開閉するブラインド装置であって、スラットの破壊を電気的に検出する検出手段を具備しており、検出手段は、スラットの破壊により断線され得るように、スラットに並設された導電性の検出線と、検出線が並設された隣接する少なくとも２枚のスラットのそれぞれの検出線を、スラットの横端面で互いに電気的に接続する接続手段とを具備しており、接続手段は、折り畳み自在となるように、互いに軸連結された複数のリンク部材を具備している防犯機能付きブラインド装置。
【請求項２】
スラットには補強部材が取り付けられている請求項１に記載の防犯機能付きブラインド装置。
【請求項３】
検出線は、補強部材内に挿通又は埋め込まれている請求項２に記載の防犯機能付きブラインド装置。
【発明の詳細な説明】
【０００１】
【発明の属する技術分野】
本発明は、防犯機能付きブラインド装置、特に、銀行等のＡＴＭの出入口、店舗若しくは商店等の出入口若しくはショーウインド又は住居、別荘若しくは事務所等の窓若しくは出入口等の開口部に好適な防犯機能付きブラインド装置に関する。
【０００２】
【発明が解決しようとする課題】
ブラインド装置としては、実開平３−８７７９３号公報に開示のものが知られており、この公報に開示のブラインド装置は、開口部に並置された多数のスラットを昇降装置により昇降させて開口部を開閉するようになっている。そして、このようなブラインド装置は、開口部を介した内部の目隠しという目的のほかに、開口部を介する侵入者の阻止等の防犯の目的も同時に確実に達成し得ることが好ましいが、しかしスラットそれ自体が破壊されれば、侵入者の阻止等は最早困難であって、そのため、開口部に侵入者感知器を設けてスラットそれ自体が破壊されても、侵入者感知器からの信号により開口部を介する侵入者を検知し、この検知信号により警報を発したり、又は警察若しくは警備会社に通報したりして侵入者の阻止等を図る技術が提案されている。
【０００３】
ところで上記の侵入者感知器は、スラットが破壊され、侵入した時点で異常を検知するものであるため、異常の早期発見および被害拡大の防止という警備の目的を全うすることが困難であり、また従来のブラインド装置では、スラットそれ自体の耐破壊性を高め、侵入を困難にする手段が採用されていない。
【０００４】
本発明は、前記諸点に鑑みてなされたものであって、その目的とするところは、スラットが破壊された場合には、確実にそれを検出して、警報を発したり又は警察若しくは警備会社に通報したりすることができ、しかも容易に破壊されないスラットを有した防犯機能付きブラインド装置を提供することにある。
【０００５】
【課題を解決するための手段】
本発明によれば前記目的は、開口部に並置された多数のスラットを昇降装置により昇降させて開口部を開閉するブラインド装置であって、スラットの破壊を電気的に検出する検出手段を具備しており、検出手段は、スラットの破壊により断線され得るように、スラットに並設された導電性の検出線を具備している防犯機能付きブラインド装置によって達成される。
【０００６】
また、本発明においては、スラットが容易に破壊されないように、スラットに取り付け金具を介して補強部材を取り付けてもよく、補強部材の形成材料としては、安価で、軽く、強い絶縁材料が適しており、実用的にはビニールエステルなどのプラスチック中にガラスファイバを充填したガラスファイバ強化プラスチック（ＧＦＲＰ）を好ましい例として挙げることができる。
【０００７】
検出線は、スラットに並設されていればよく、好ましい例では、スラット又は補強部材内に挿通又は埋め込まれており、検出線としては、スラットの破壊においては容易に断線し得る一方、通常の振動等では断線し難いように形成された細い被覆銅線を一つの例として挙げることができるが、スラット又は補強部材内に挿通又は埋め込む場合には、検出線として、導電性を有する、伸びの小さなセラミック繊維が適しており、実用的にはカーボンファイバから形成するとよい。
【０００８】
本発明では、スラットに並設する検出線は、スラット一枚につき一本でもよく、また、ブラインド装置の全てのスラットに検出線を並設する必要はなく、破壊の対象となる確率の最も高い一本のスラットのみに検出線を並設してもよく、或いは少なくとも一つ置きのスラットに検出線を並設してもよい。少なくとも２枚のスラットに検出線を並設する場合に、検出線が並設された隣接する２枚のスラットのそれぞれの検出線を、スラットの横端面で互いに電気的に接続する接続手段を具備して検出手段を構成してもよく、接続手段としては、スラットの破壊により断線され得る可撓性の接続検出線を具備して又は折り畳み自在となるように、互いに軸連結された複数のリンク部材を具備して構成してもよい。ここで、隣接する２枚のスラットとは、検出線が並設された２枚のスラットを意味し、この２枚のスラットの間に、検出線が並設されてないスラットが少なくとも１枚以上並設されていてもよい。
【０００９】
本発明の防犯機能付きブラインド装置は、例えば、ショーウインドに設置される。昇降装置により多数のスラットを上昇させて上方に重ね合わせて束ねることにより、開口部としてのショーウインドを開放することができ、逆に上方に重ね合わせて束ねられた多数のスラットを、昇降装置によりその重ね合わせを解除するようにして、順次下降させることにより、ショーウインドを閉鎖することができる。そしてスラットに切断、曲折等の破壊作業が加えられると、スラットに並置された検出線もまた断線され、これにより検出線を含む電気回路が断状態になり、スラットの破壊が、必要により必要な場所に警報され、通報される。
【００１０】
【発明の実施の形態】
次に本発明を、図に示す好ましい実施例に基づいて更に詳細に説明する。なお、本発明はこれら実施例に何等限定されないのである。
【００１１】
【実施例】
図１から図３において、本例の防犯機能付きブラインド装置１は、左右横枠２及び３と上枠及び下枠（図示せず）とによって規定された開口部４に並置された多数のスラット５を昇降装置６により昇降させて開口部４を開閉するように構成され、かつ、スラット５の破壊を電気的に検出する検出手段７を具備し、検出手段７は、スラット５の破壊により断線され得るように、スラット５に並設された導電性の検出線８を具備している。
【００１２】
昇降装置６は、上枠（図示せず）に配された電動モータ１１、電動モータ１１の出力回転軸の回転が伝達される伝達軸１２、伝達軸１２に固着されたスプロケットホイール１３及び１４、スプロケットホイール１３及び１４に掛けられていると共に左右横枠２及び３内に配されて、スプロケットホイール１３及び１４の回転により走行されるチエーン１５及び１６並びにスラット５を水平回動位置及び垂直回動位置に設定するチルト機構等を具備しており、チエーン１５及び１６のそれぞれに各スラット５の対応する横端が取り付け部材を介して取り付けられている。このような昇降装置６は、実開平３−８７７９３号公報に開示されており、その詳細な説明は省略する。
【００１３】
各スラット５は、前面に対して凸な部分２１と、後面に対して凸な部分２２とを一体的に有しており、凸な部分２１の横方向両端部の後面には取り付け具２３が嵌着されており、取り付け具２３にねじを介して補強部材２４が取り付けられている。
【００１４】
本例の検出手段７は、検出線８に加えて、検出線８が並設された隣接する２枚のスラット５のそれぞれの検出線８を、スラット５の横端面で互いに電気的に接続する接続手段３１を更に具備している。検出線８は、本例では往路検出線３２と復路検出線３３との一対からなり、これら往路検出線３２と復路検出線３３とからなる検出線８は全てのスラット５の補強部材２４にそれぞれ埋め込まれている。なお、本例では最下段のスラット５の往路検出線３２及び復路検出線３３のいずれか一方（図では往路検出線３２）が短絡線（検出線８の終端において往路検出線３２と復路検出線３３とを接続する接続線）として用いられている。接続手段３１は、図３に詳細に示すように、スラット５の破壊により断線され得る可撓性の接続検出線３４及び３５からなっている。接続検出線３４は、左横枠２側において、上下方向で隣接する２枚のスラット５の往路検出線３２同志及び復路検出線３３同志を、接続検出線３５は、右横枠３側において、上下方向で隣接する２枚のスラット５の往路検出線３２同志及び復路検出線３３同志をそれぞれ電気的に接続する。なお、最下段のスラット５とこの最下段のスラット５の一つ手前のスラット５との間の接続検出線３４及び３５は、最下段のスラット５の往路検出線３２及び復路検出線３３のうちいずれが短絡線として用いられるかによって、往路検出線３２同志又は復路検出線３３同志をそれぞれ電気的に接続するかが決定される。接続検出線３４及び３５には、被覆銅線が好ましく用いられる。最上段のスラット５の右横枠３及び左横枠２側の往路検出線３２の始端部と復路検出線３３の終端部とは、リード線４１及び４２を介して他に設けられた例えば通報用の電気回路に接続されるようになっている。接続検出線３４及び３５並びにリード線４１及び４２は、補強部材２４内にて往路検出線３２及び復路検出線３３にそれぞれ電気的に接続されている。
【００１５】
以上のように形成されたブラインド装置１では、例えば、開口部としてのショーウインドに設置される。昇降装置６により多数のスラット５を上昇させて上方に重ね合わせて束ねることにより、ショーウインドを開放することができ、逆に上方に重ね合わされて束ねられた多数のスラット５を、昇降装置６によりその重ね合わせを解除するようにして、順次下降させることにより、ショーウインドを閉鎖することができる。そしてブラインド装置１では、各スラット５に補強部材２４が取り付けられているため、スラット５の切断、曲折等を行い難く、防犯性に優れている。また、仮に、スラット５に切断、曲折等の破壊作業が加えられると、スラット５に並置されて補強部材２４に埋め込まれた検出線８もまた断線され、これにより検出線８を含む電気回路が断状態になり、スラット５の破壊が、必要により必要な場所に警報され通報され、これによって防犯性が向上されている。
【００１６】
ところで上記では、接続手段３１を可撓性の接続検出線３４及び３５により構成したが、これに代えて又はこれと共に、図４に示す接続手段３１により構成してもよい。図４に示す接続手段３１は、折り畳み自在となるように、互いに軸連結された複数のリンク部材５１を具備し、各リンク部材５１は、一端では、スラット５に嵌着された軸受部材５２に軸５３を介して回動自在に連結され、他端では、軸５４を介して隣接するリンク部材５１に回動自在に連結されており、各リンク部材５１及び軸５３、５４は導電性の材料から形成されて、軸５３のそれぞれは、例えばコネクタを介して対応するスラット５に埋め込まれた往路検出線３２の一端に電気的に接続され、リンク部材５１の一端と軸５３とは、相互に電気的に接続されるように摺動接触し、それぞれのリンク部材５１の他端と軸５４とは、同じく相互に電気的に接続されるように摺動接触している。このように複数のリンク部材５１により接続手段３１を構成しても、前記と同様の効果を得ることができる上に、スラット５の通常の昇降中における断線事故等を好ましくなくし得る。
【００１７】
なお、図３に示す検出手段の配線方法は一例であって、他の配線方法でもよいことはもちろんである。
【００１８】
【発明の効果】
以上のように本発明によれば、スラットが破壊された場合には、確実にそれを検出して、警報を発したり又は警察若しくは警備会社に通報したりすることができ、しかも容易に破壊されないスラットを有したブラインド装置を提供することができる。
【図面の簡単な説明】
【図１】本発明の好ましい一実施例の斜視図である。
【図２】図１に示すスラット等の一部拡大図である。
【図３】図１に示す実施例の検出手段の配線方法の説明図である。
【図４】本発明の好ましい他の実施例の一部説明図である。
【符号の説明】
１  防犯機能付きブラインド装置
４  開口部
５  スラット
６  昇降装置
７  検出手段
８  検出線
【図１】
0003570027.tif 000002
【図２】
0003570027.tif 000003
【図３】
0003570027.tif 000004
【図４】
0003570027.tif 000005